(57)【要約】  【課題】重要度に応じて的確にメッセージの表示形態を変更できるようにし、表示装置を見やすく、使いやすいものにする。  【解決手段】表示装置はメイン領域とサブ領域を含む表示部と、メッセージを作成するための入力と、メイン領域に表示されたメッセージをサブ領域に移動させて表示させる移動操作を受け付ける操作部と、設定されたメッセージのデータ、及び、重要度データを記憶する記憶部と、重要度データに基づき、メッセージの重要度を判定する判定部と、を含み、表示部は重要度が予め定められた第１基準値よりも小さいとき、移動操作されたメッセージをサブ領域で表示し、第１基準値よりも大きいとき、移動操作されたメッセージをサブ領域に移動させずメイン領域で表示し続ける。【選択図】図１２
2014102563.tif 000002
【特許請求の範囲】
【請求項１】
表示領域としてメイン領域と前記メイン領域よりも狭いサブ領域を含み、使用者により作成されたメッセージを表示する表示部と、
前記メイン領域に表示された前記メッセージを前記サブ領域に移動させて表示させるための使用者による移動操作を受け付ける操作部と、
設定されたメッセージのデータ、及び、前記メッセージの重要度を判断するための重要度データを記憶する記憶部と、
前記重要度データに基づき、前記移動操作がなされた前記メッセージの重要度を判定する判定部と、を含み、
前記表示部は重要度が予め定められた第１基準値よりも小さいとき、前記移動操作された前記メッセージを前記サブ領域で表示し、前記第１基準値よりも大きいとき、前記移動操作された前記メッセージを前記サブ領域に移動させず前記メイン領域で表示し続けることを特徴とする表示装置。
【請求項２】
前記表示部は前記サブ領域で表示する前記メッセージの重要度が予め定められた第２基準値よりも大きいとき、強調表示を行って前記メッセージを前記サブ領域に表示し、前記サブ領域で表示する前記メッセージの重要度が予め定められた第２基準値よりも小さいとき、前記強調表示を行わずに前記メッセージを前記サブ領域に表示することを特徴とすることを特徴とする請求項１記載の表示装置。
【請求項３】
前記操作部は前記サブ領域に表示された前記メッセージを前記メイン領域に戻すための戻し操作を受け付け、
前記表示部は前記戻し操作がなされた前記メッセージの前記サブ領域での表示を止めて、前記メイン領域で表示することを特徴とする請求項１又は２に記載の表示装置。
【請求項４】
前記重要度データは単語と単語の重要度を示す値である重要度値の組み合わせを複数含み、
前記判定部は前記メッセージに含まれる単語と、前記重要度データ中に含まれる単語と前記重要度値に基づき、前記メッセージの重要度を判定し、
前記記憶部は前記重要度データに含まれる単語のうち、前記移動操作がなされた前記メッセージに含まれる単語と同じ単語の前記重要度値が小さくなるように、前記重要度データの更新を行うことを特徴とする請求項１〜３のいずれか１項に記載の表示装置。
【請求項５】
前記記憶部は前記重要度データに含まれる単語のうち、前記戻し操作がなされた前記メッセージに含まれる単語と同じ単語の前記重要度値が大きくなるように、前記重要度データの更新を行うことを特徴とする請求項４に記載の表示装置。
【請求項６】
前記操作部は使用者による前記重要度データを設定する入力を受け付け、
前記記憶部は前記操作部になされた設定に応じ、前記重要度データを更新することを特徴とする請求項１〜５のいずれか１項に記載の表示装置。
【請求項７】
前記表示部は前記メッセージを初めて表示するとき、前記メッセージを前記メイン領域に表示することを特徴する請求項１〜６のいずれか１項に記載の表示装置。
【請求項８】
請求項１〜７のいずれか１項に記載の表示装置を含むことを特徴とする画像形成装置。
【発明の詳細な説明】
【技術分野】
【０００１】
本発明はメッセージを表示する表示部を有する表示装置、及び、これを備えた画像形成装置に関する。
【背景技術】
【０００２】
各種電気機器、電子機器には、表示装置が取り付けられることがある。表示装置には、機器の設定入力や機器の操作用の画面を表示するものがある。又、表示装置には、エラーやエラーに対応するトラブルコードなどのような機器の状態を示すメッセージを表示するものもある。このような、画像形成装置の状態にあわせてメッセージを表示する画像処理装置の一例が特許文献１に記載されている。
【０００３】
具体的に、特許文献１には、表示画面を有する操作パネルと、表示画面にメイン画面とサブ画面とを表示させる表示手段と、サブ画面の種類毎に異なる表示形態を設定することが可能な設定手段とを備え、設定手段は、メッセージの表示の有無を設定するとき、前記メッセージの種類に応じて表示無の設定を許可するか禁止するかを判断し、表示手段は、表示無の設定が禁止されているメッセージの場合、表示無に設定されても、前記メッセージを表示し、設定手段は、メッセージの重要度に応じて、前記メッセージの表示の有無の変更を許可するか、禁止するかを判断する画像処理装置が記載されている。具体的に、メッセージは、その種類に応じて重要度を大、中、小の三段階で設定される。（特許文献１：請求項１、請求項３、段落［００５５］等参照）。
【先行技術文献】
【特許文献】
【０００４】
【特許文献１】特開２００６−１３９１８６号公報
【発明の概要】
【発明が解決しようとする課題】
【０００５】
機器の状態に応じたメッセージだけではなく、電子ふせんのような任意の（所望の）メッセージを表示装置に表示させることができれば、表示領域を掲示板のように用いることができ便利である。使用者は使用上の注意や、各使用者に周知させたい事項などのメッセージの入力や設定、作成したメッセージを表示させるための操作を行う。その結果、作成、設定された文章、文字列などが表示装置に表示されることになる。
【０００６】
ここで、表示装置の表示部のサイズには限りが有る。そのため、表示装置が表示できるメッセージの数には限界が有る。そこで、メッセージの表示領域を縮小したり、メッセージの表示位置を変えたりして、メッセージの表示形態を変更できるようにすることが好ましい。
【０００７】
しかし、メッセージごとに重要度（情報の価値）に差がある。重要なメッセージほど、メイン領域に表示して、多くの使用者に確実に視認されるように表示すべきである。言い換えると、重要なメッセージに対しては、サイズの縮小やサブ領域に表示位置を移すような表示形態への変更をすべきではない。一方、重要度が小さいメッセージであれば、メッセージの表示サイズの縮小や、表示位置をサブ領域に移しても大きな問題は生じない。このように、重要度の大きなメッセージほど的確に使用者に認識されるようにしつつ、重要度に応じて的確にメッセージの表示形態を変更する必要がある。
【０００８】
ここで、従来、使用者が任意に入力した（使用者が作成した）メッセージに対し、個別にメッセージの重要度を定めることができるようになっていない。そのため、従来、使用者により作成されたメッセージに対し、メッセージの重要度を考慮した表示形態の変更は行われていない。又、メッセージの入力、作成にあわせて重要度を設定可能とすることも考えられるが、重要度の設定は使用者にとって煩わしいと感じられる場合もある（そのような場合、大抵、重要度は通常とされて終わる）。又、メッセージに適切な重要度が設定されるとは限らない。誤った重要度を設定することにより、むしろ。表示装置が見づらくて使いにくいものとなってしまう場合もあり得る。
【０００９】
尚、特許文献１記載の技術は予め定められた（用意された）メッセージの表示に関する技術である。そのため、作成、入力された文章などの使用者の任意のメッセージを表示させる場合には適用できない。又、特許文献１記載の技術では、同じ種類のメッセージ（例えば、エラーメッセージや確認メッセージなど）は全て同じ重要度と扱われる（特許文献１：段落［００５５］等参照）。しかし、使用者にとってメッセージが重要か否かはメッセージの種類で定まるのではなく、メッセージの内容による。また、特許文献１記載の技術では、設定された重要度が適切なものとなるとは限らない。従って、重要度に応じて的確にメッセージの表示形態を変更できず、上記の問題を解決することはできない。
【００１０】
重要度に応じて的確にメッセージの表示形態を変更できるようにし、表示装置を見やすく、使いやすいものにする。
【課題を解決するための手段】
【００１１】
上記課題解決のため請求項１に係る表示装置は表示領域としてメイン領域と前記メイン領域よりも狭いサブ領域を含み、使用者により作成されたメッセージを表示する表示部と、前記メイン領域に表示された前記メッセージを前記サブ領域に移動させて表示させるための使用者による移動操作を受け付ける操作部と、設定されたメッセージのデータ、及び、前記メッセージの重要度を判断するための重要度データを記憶する記憶部と、前記重要度データに基づき、前記移動操作がなされた前記メッセージの重要度を判定する判定部と、を含み、前記表示部は重要度が予め定められた第１基準値よりも小さいとき、前記移動操作された前記メッセージを前記サブ領域で表示し、前記第１基準値よりも大きいとき、前記移動操作された前記メッセージを前記サブ領域に移動させず前記メイン領域で表示し続ける。
【発明の効果】
【００１２】
本発明によれば、表示されるように設定した任意の内容のメッセージの重要度に応じ、的確にメッセージの表示形態を変更させることができる。従って、表示装置を見やすく、使いやすいものにすることができる。
【図面の簡単な説明】
【００１３】
【図１】複合機の一例を示す正面模型的断面図である。
【図２】操作パネルの一例を示す平面図である。
【図３】複合機や操作パネルのハードウェア構成の一例を示すブロック図である。
【図４】メッセージ作成画面の一例を示す説明図である。
【図５】ソフトウェアキーボード画面の一例を示す説明図である。
【図６】コピー機能の初期設定画面の一例を示す説明図である。
【図７】メッセージが表示されたコピー機能の初期設定画面の一例を示す説明図である。
【図８】メッセージの表示形態の変更を説明するための説明図である。
【図９】メッセージの表示形態の変更を説明するための説明図である。
【図１０】メッセージの表示形態の変更を説明するための説明図である。
【図１１】メッセージの表示形態（表示位置）の変更制御の流れの一例を示すフローチャートである。
【図１２】重要度データの一例を示す説明図である。
【図１３】使用者による重要度データ設定画面の一例を示す説明図である。
【図１４】自動更新の流れの一例を示すフローチャートである。
【図１５】重要度データの更新の一例を示す説明図である。
【発明を実施するための形態】
【００１４】
以下、図１〜図１５を用い、実施形態を説明する。以下では、操作パネル１（表示装置に相当）を含む複合機１００（画像形成装置に相当）を例に挙げ説明する。但し、本実施の形態に記載されている構成、配置等の各要素は、発明の範囲を限定せず、単なる説明例にすぎない。
【００１５】
（画像形成装置の概略）
まず、図１を用い、実施形態に係る複合機１００の概略を説明する。図１は複合機１００の一例を示す正面模型的断面図である。
【００１６】
図１に示すように、複合機１００の正面前方には、複合機１００に関して各種設定を行うための操作パネル１が設けられる（詳細は後述）。又、図１に示すように、本実施形態の複合機１００は、上部に画像読取部２ａと原稿搬送部２ｂが設けられ、内部に、給紙部３ａ、搬送部３ｂ、画像形成部４、中間転写部５ａ、定着部５ｂ、排出搬送部３ｃ、両面搬送部３ｄ等を備える。
【００１７】
原稿搬送部２ｂは原稿トレイ２１を有する。コピーやスキャンを行う原稿は原稿トレイ２１に載置される。そして、原稿搬送部２ｂは原稿トレイ２１から原稿を１枚ずつ、自動的に連続して読取位置（送り読取用コンタクトガラス２２）に搬送する。又、原稿搬送部２ｂは図１の紙面奥側を支点として画像読取部２ａに上下方向に開閉自在に取り付けられる。原稿搬送部２ｂは画像読取部２ａのコンタクトガラス（送り読取用コンタクトガラス２２及び載置読取用コンタクトガラス２３）を上方から押さえるカバーとして機能する。
【００１８】
図１に示すように、画像読取部２ａの上面には、送り読取用コンタクトガラス２２と書籍等の原稿を１枚ずつ読み取る際に原稿を載置する載置読取用コンタクトガラス２３が配される。又、画像読取部２ａ内には、ランプ、ミラー、レンズ、イメージセンサーなどの光学系部材（不図示）が配される。イメージセンサーは原稿搬送部２ｂが送り読取用コンタクトガラス２２を通過させる原稿、あるいは、載置読取用コンタクトガラス２３に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２ａは、カラーでも読み取り可能であり、白黒でも読み取り可能である。
【００１９】
複合機１００本体内の複数の給紙部３ａはそれぞれ、各サイズ（例えば、Ａ４やＢ４やレターサイズなどの定型用紙）、各種用紙（例えば、コピー用紙、再生紙、厚紙、ＯＨＰシート等）を複数枚収容する。各給紙部３ａはそれぞれ回転駆動する給紙ローラー３１を備え、印刷時、１枚ずつ搬送部３ｂに用紙を送り込む。
【００２０】
搬送部３ｂは給紙部３ａから画像形成部４(２次転写ローラー)まで装置内で用紙を搬送する。そして、搬送部３ｂには、用紙の案内のためのガイド板や、用紙搬送時に回転駆動する搬送ローラー対３２（図１において、上方から３２ａ、３２ｂ、３２ｃの計３つ）や、搬送される用紙を画像形成部４の手前で待機させ、形成されたトナー像の転写タイミングに合わせ用紙を送り出すレジストローラー対３３等が設けられる。
【００２１】
画像形成部４は複数の画像形成ユニット４０（ブラック用の４０Ｂｋ、イエロー用の４０Ｙ、シアン用の４０Ｃ、マゼンタ用の４０Ｍ）と露光装置４１を含む。各画像形成ユニット４０は回転駆動可能に支持された感光体ドラムや、感光体ドラムの周囲に配設された帯電装置、現像装置、清掃装置等を備える。露光装置４１は画像読取部２ａで読み取られた画像データや後述の記憶装置６２に記憶される画像データ等に基づき、レーザ光を点消灯しつつ出力し、各感光体ドラムを走査露光する。そして、各画像形成ユニット４０と露光装置４１により、各感光体ドラムの周面上にトナー像が形成される。
【００２２】
中間転写部５ａは各画像形成ユニット４０からトナー像の１次転写を受け、シートに２次転写を行う。中間転写部５ａは、各１次転写ローラー５１Ｂｋ〜５１Ｍ、中間転写ベルト５２、駆動ローラー５３、複数の従動ローラー５４（５４ａ〜５４ｃ）、２次転写ローラー５５、ベルト清掃装置５６等を含む。中間転写ベルト５２は駆動ローラー５３等に張架され、モータ等の駆動機構（不図示）に接続される駆動ローラー５３の回転駆動により周回する。そして、各１次転写ローラー５１Ｂｋ〜５１Ｍには、転写用電圧が印加され、各感光体ドラムのトナー像は中間転写ベルト５２に転写される。ずれなくトナー像を重畳して中間転写ベルト５２に１次転写した後、所定の電圧を印加された２次転写ローラー５５により、シートにトナー像が転写される。
【００２３】
定着部５ｂは用紙に転写されたトナー像を定着させる。定着部５ｂは発熱体を内蔵する加熱ローラー５７とこれに圧接する加圧ローラー５８を含む。そして、用紙が加熱ローラー５７と加圧ローラー５８のニップを通過すると、トナーが溶融・加熱され、トナー像が用紙に定着する。定着部５ｂから排出された用紙は排出トレイ３４方向に送られる。
【００２４】
排出搬送部３ｃは印刷済の用紙を排出トレイ３４方向又は両面搬送部３ｄの方向に用紙搬送方向を仕分ける。そして、排出搬送部３ｃは正回転方向に回転駆動して排出トレイ３４の方向に送り出す、或いは、両面印刷のため逆回転しスイッチバックを行う排出ローラー対３５を有する。又、排出搬送部３ｃは用紙の搬送方向を切り替えるため、切替弁３６を有する。切替弁３６は回動する。切替弁３６は、両面搬送部３ｄを閉じて用紙を排出トレイ３４方向に導く位置を基本位置とし、両面印刷の際、回動してスイッチバックされた片面印刷済みの用紙を両面搬送部３ｄに導く。両面搬送部３ｄは、定着部５ｂの下流側とレジストローラー対３３の上流側とを結ぶ。両面搬送部３ｄには、両面印刷のため、回転駆動する複数の両面搬送ローラー対３７〜３９が設けられ、片面印刷済の用紙が搬送される。
【００２５】
（操作パネル１）
次に、図２を用いて、実施形態に係る操作パネル１の一例を説明する。図２は操作パネル１の一例を示す平面図である。
【００２６】
図１に示すように、操作パネル１は複合機１００の正面上方に設けられる。そして、操作パネル１は表示部１１、タッチパネル部１２（操作部に相当）、ハードキーを含む。操作パネル１はハードキーとして、コピー等の処理開始指示用のスタートキー１３や、数字入力用のテンキー部１４（操作部に相当）などを含む。
【００２７】
表示部１１は液晶表示パネルである（有機ＥＬパネルなど他種の表示パネルでもよい）。表示部１１は複合機１００の設定を行うためのメニューやキーが配された画面、画像を表示する。使用者は表示部１１に表示されたキーを指定して、複合機１００の各種設定を入力できる。又、表示部１１は複合機１００等の状態などのメッセージ８等の各種画像、画面を表示する。
【００２８】
又、表示部１１の上面にタッチパネル部１２が設けられる。タッチパネル部１２は使用者がタッチした位置、座標を検知する。キーの表示位置とタッチされた位置を比較することで、使用者が指定するキーが特定され、使用者の入力が受け付けられる。
【００２９】
又、本実施形態の表示部１１はメッセージを表示する。操作パネル１への入力を行うことにより、使用者により作成された自由なメッセージ８を付す（表示させる）ことができる画像である。ドラッグアンドドロップ操作などの操作により表示位置が移動可能な画像でもある（詳細は後述）。
【００３０】
又、操作パネル１には、機能選択キー群１４ａが設けられる。使用者は機能選択キー群１４ａのなかのいずれかのキーを押して、複合機１００の有する機能のうち用いる機能を選択する。機能選択キー群１４ａの中には、コピー機能を用いるときに押されるコピーキーや、画像読取部２ａで読み取った画像データをコンピューター２００やＦＡＸ装置３００に送信するときに押される送信キーなどが含まれる。
【００３１】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００３２】
まず、複合機１００本体内には、主制御部６が設けられる。例えば、主制御部６は操作パネル１、原稿搬送部２ｂ、画像読取部２ａ、給紙部３ａ、搬送部３ｂ、画像形成部４、定着部５ｂ、排出搬送部３ｃ等と接続され、これらの制御を行う。
【００３３】
例えば、主制御部６はＣＰＵ６１等の制御を行う素子を含む。ＣＰＵ６１は記憶装置６２に格納され、展開される制御プログラムに基づき演算等を行い、複合機１００の各部を制御する。尚、主制御部６は全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を主制御部６としてまとめた形態を示し、説明する。
【００３４】
記憶装置６２（記憶部に相当）は主制御部６と接続される。記憶装置６２はＲＯＭ、ＲＡＭ、ＨＤＤ等の不揮発性と揮発性の装置を組み合わせたものである。記憶装置６２は複合機１００の制御用プログラム、制御用データ、設定データ、画像データ等の各種データを記憶できる。
【００３５】
そして、主制御部６は各種コネクタ、ソケットやＦＡＸモデム等を備えたインターフェイス部（以下、通信部６３）と接続される。通信部６３はネットワークや公衆回線等により複数の外部のコンピューター２００（例えば、パーソナルコンピューターやサーバー）や相手方ＦＡＸ装置３００（図３では、いずれも便宜上１つのみ図示）と接続される。例えば、画像読取部２ａで得られた画像データを記憶装置６２に記憶させることや（ボックス機能）、外部のコンピューター２００や相手方ＦＡＸ装置３００に送信することができる（スキャナ機能、ＦＡＸ送信機能）。又、外部のコンピューター２００や相手方ＦＡＸ装置３００から送信され、複合機１００に入力される画像データに基づき印刷を行うこともできる（プリンター機能、ＦＡＸ受信機能）。
【００３６】
又、主制御部６には、画像読取部２ａで原稿を読み取って得られた画像データや通信部６３を介して複合機１００に入力された画像データに対し、画像処理を施す画像処理部６４が設けられる。例えば、画像処理部６４が処理した画像データは露光装置４１に送信され、感光体ドラムの走査・露光に用いられたり、記憶装置６２に記憶されたりする。
【００３７】
又、主制御部６は、操作パネル１になされた入力を認識し、使用者の設定にあわせてコピーやスキャンなどのジョブが行われるように複合機１００を制御する。本実施形態の操作パネル１はパネル制御部１０（判定部に相当）、表示部１１、タッチパネル部１２、ハードキー（例えば、テンキー部１４やスタートキー１３）、メモリー１５（記憶部に相当）、ドライバ回路１６等を含む。
【００３８】
パネル制御部１０はＣＰＵやＩＣ等で構成される。パネル制御部１０は表示部１１の表示を制御する。パネル制御部１０は表示部のパネルの表示を実際に制御するドライバ回路１６に表示すべき内容の指示を与える。又、パネル制御部１０はタッチパネル部１２の出力を受け、タッチされた位置（座標）を特定する。パネル制御部１０はタッチ位置とタッチされたときの表示部１１が表示していた画面の画像データを比較し、タッチされた位置に表示されていたキーやメッセージ８を認識する。タッチパネル部１２の出力と位置（座標）の対応を示すテーブル等のデータはメモリー１５に記憶される。メモリー１５はＲＯＭやＲＡＭを含む。これにより、パネル制御部１０は使用者により指定されたキーを認識する。
【００３９】
又、メモリー１５は使用者や管理者が作成した各メッセージ８について、メッセージ８内容を示すデータなどを含むメッセージデータＤ１を記憶する。パネル制御部１０はメッセージデータＤ１に基づき、メッセージ８を表示部１１に表示させる（詳細は後述）。又、メモリー１５は各メッセージ８の重要度を判定するための重要度データＤ２も記憶する。パネル制御部１０は重要度データＤ２に基づき、各メッセージ８の重要度を判定する（詳細は後述）。
【００４０】
又、タッチパネル部１２にはタッチされた位置を検知するための位置検知部１２１が設けられる。例えば、位置検知部１２１はタッチ位置（タッチされた点の座標）を検知するためのＩＣである。例えば、タッチパネル部１２が静電容量方式で投影型のパネルを含むのであれば、位置検知部１２１はタッチパネル部１２で静電容量の変化を検知し、１又は複数の同時にタッチされた位置を示す信号を出力する。パネル制御部１０は位置検知部１２１の出力に基づき、タッチされた位置を認識する。
【００４１】
また、複合機１００には、計時部６５が設けられる。計時部６５は時間を測り、時計として機能する。計時部６５は操作パネル１内に設けられてもよいし、制御部内に設けられてもよい。尚、操作パネル１（複合機１００）はネットワークを介して、日時や時刻を示す情報を取得してもよい。この場合、ハードウェアとしての計時部６５は不要であり、通信部６３や日時や時刻を示す情報の取得を指示するパネル制御部１０や主制御部６が計時部６５として機能する。
【００４２】
（メッセージ８の作成）
次に、図４、図５を用いて、実施形態に係るメッセージ８の作成を説明する。図４はメッセージ作成画面７１の一例を示す説明図である。図５はソフトウェアキーボード画面７２の一例を示す説明図である。
【００４３】
実施形態に係る操作パネル１はエラーや状態情報などの予め用意された定形のメッセージ（情報）だけではなく、使用者や管理者が注意書きのような内容を自由に決めて作成したメッセージ８を表示する。そして、メッセージ８とは、文章、文字列を含み、表示部１１に表示される画像であり、画面に貼り付けられる画像である。そして、以下では、使用者が作成したメッセージ８に関して説明する。
【００４４】
まず、図４を用いて、メッセージ８の作成を説明する。使用者は操作パネル１に入力を行うことにより、メッセージ８に含める情報（内容、文章、文字列、記号）を作成、設定することができる。そのため、操作パネル１はメッセージ８の内容などの設定を行うための設定部として機能する。尚、コンピューター２００でメッセージ８の内容などを入力し、複合機１００がコンピューター２００で作成されたメッセージデータＤ１を受信してメッセージ８の設定が行われてもよい。この場合、通信部６３がメッセージ８の内容などの設定を行うための設定部として機能する。
【００４５】
本実施形態の操作パネル１では、メッセージ８を作成するためのメッセージ作成画面７１が用意される。メッセージ作成画面７１を表示させるための予め定められた操作、入力がなされると、パネル制御部１０はメッセージ作成画面７１を表示部１１に表示させる。
【００４６】
メッセージ作成画面７１には、メッセージ８として表示する情報（文章、文字列等）を作成、入力するための作成キーＫ１が設けられる。作成キーＫ１の表示位置に対するタッチを検知すると、パネル制御部１０はソフトウェアキーボード画面７２（図５参照）を表示部１１に表示させる。使用者はソフトウェアキーボード画面７２の各キーの表示位置をタッチすることにより、漢字、アルファベット、記号などを用いて、メッセージ８を作成することができる。
【００４７】
ソフトウェアキーボード画面７２の終了キーＫ２の表示位置がタッチされると、パネル制御部１０はソフトウェアキーボード画面７２を閉じてメッセージ作成画面７１を表示する。そして、パネル制御部１０は表示部１１に、ソフトウェアキーボード画面７２で作成されたメッセージ８をメッセージ表示欄Ｃ１に表示させる。
【００４８】
完了キーＫ３の表示位置がタッチされると、パネル制御部１０は設定されたメッセージ８を示すデータや設定されたメッセージ８の内容を示すデータを含むメッセージデータＤ１をメモリー１５に記憶させる。尚、メッセージデータＤ１は記憶装置６２に記憶させてもよい。そして、パネル制御部１０はメモリー１５や記憶装置６２に記憶されたメッセージデータＤ１に基づき、メッセージ８を表示部１１に表示させる。
【００４９】
（メッセージ８の表示領域と表示の概要）
次に、図６、図７を用いて、表示部１１の表示領域と、設定されたメッセージ８の表示の概要を説明する。図６はコピー機能の初期設定画面７３の一例を示す説明図である。図７はメッセージ８が表示されたコピー機能の初期設定画面７３の一例を示す説明図である。
【００５０】
複合機１００はコピー、プリンター、送信など複数の機能を有し、各機能では複数の設定項目が用意される。そのため、使用者の入力、操作にあわせ、操作パネル１の表示部１１に表示される画面は多数種に及ぶ。そこで、便宜上、本説明では、操作パネル１の表示部１１に表示される画面の一例として、コピー機能を選択したときに最初に表示される初期設定画面７３を例に上げて以下説明する。
【００５１】
まず、コピー機能の初期設定画面７３について説明する。コピー機能の初期設定画面７３は機能選択キー群内のコピーキーを押したとき、最初に表示される画面である。図６に示すように、コピー機能の初期設定画面７３には、よく用いられる設定項目の設定を行うためのキーが配される。初期設定画面７３にどの設定項目のキーを表示させるかは、使用者が設定することができる。
【００５２】
又、初期設定画面７３には、複数のタブが配される。コピー機能に関する設定項目は多数に及ぶので、全ての設定項目を１画面中に表示しきれない。そのため、コピー機能に関する各設定項目はいずれかのカテゴリー（グループ）に割り振られる。そして、各タブには、コピー機能に関する設定項目のカテゴリーが示される（原稿／用紙／仕上げや、カラー／画質タブなど）。簡単設定以外のタブの表示位置がタッチされると、操作パネル１は各カテゴリーに割り振られた設定項目を選択するための画面を表示部１１に表示させる。そして、使用者は各タブの表示位置をタッチして、所望の設定項目を選択し、選択した設定項目の設定値を設定することができる。
【００５３】
まず、図６、図７を用いて、メッセージ８の表示領域を説明する。
【００５４】
上述のように、本実施形態の操作パネル１では、使用者は表示させたいメッセージ８を作成設定、入力し、パネル制御部１０は設定されたメッセージ８を表示部１１に表示させる。そして、本実施形態の操作パネル１では、メッセージ８を表示する領域としてメイン領域９１とサブ領域９２が用意される。
【００５５】
メイン領域９１は表示部１１の大部分を占める領域であり、メイン領域９１には各種設定画面も表示される。本実施形態の操作パネル１では、メイン領域９１にメッセージ８を表示するとき、パネル制御部１０はメッセージ８を電子付箋の態様で表示部１１に表示させる。そのため、図７に示すように、パネル制御部１０はメイン領域９１にメッセージ８を表示するとき、各種設定画面の上側に重ねるように（電子付箋のように）、メッセージ８を表示部１１に表示させる。言い換えると、メイン領域９１にメッセージ８を表示するとき、パネル制御部１０は設定画面に対し、上層として重ねてメッセージ８を表示部１１に表示させる。
【００５６】
又、サブ領域９２はメイン領域９１よりも狭い領域である（メイン領域９１の数分の一〜十数分の一）。そのため、パネル制御部１０は電子付箋ではなく、一列のテキストの態様でメッセージ８を表示部１１に表示させる。サブ領域９２はメイン領域９１よりも狭いため、パネル制御部１０はメッセージ８の表示サイズを、メイン領域９１での表示サイズよりも小さくして表示部１１にメッセージ８を表示させる。
【００５７】
具体的に、本実施形態の操作パネル１では、サブ領域９２は表示部１１の下端部分に設けられる。本実施形態では、サブ領域９２は表示部１１の左右方向を長手方向とし、表示部１１の下端に設けられた矩形状の細長い領域である。サブ領域９２はメッセージ８を表示する領域として、表示部１１の表示領域の一部を割り当てた領域である。そして、パネル制御部１０は表示部１１のサブ領域９２にメッセージ８を表示させる。
【００５８】
次に、メッセージ８の表示の概要を説明する。パネル制御部１０はメモリー１５や記憶装置６２に記憶された各メッセージ８のメッセージデータＤ１を確認する。そして、メッセージデータＤ１に基づき、パネル制御部１０は各種設定画面内に、１又は複数のメッセージ８（電子付箋）を表示部１１に表示させる（図７参照）。図７はパネル制御部１０が「故障のため緊急の修理依頼中です」、「原稿と用紙サイズと倍率を確認」、「定期メンテナンスの予定：○月○日」という３種のメッセージ８（電子付箋）を表示部１１に表示させている例を示している。
【００５９】
（メッセージ８の表示形態の変更）
次に、図８〜図１０を用いて、メッセージ８の表示形態の変更について説明する。図８〜図１０はメッセージ８の表示形態の変更を説明するための説明図である。
【００６０】
本実施形態の操作パネル１では、メイン領域９１に電子付箋として表示されたメッセージ８をサブ領域９２で表示させることができる。言い換えると、パネル制御部１０はメッセージ８の表示領域を変更させて、表示部１１でのメッセージ８の表示形態を変化させる。
【００６１】
ここで、パネル制御部１０はサブ領域９２とメイン領域９１のいずれかに作成されたメッセージ８を表示させる。しかし、パネル制御部１０は作成、入力されたメッセージ８を初めて表示するとき、メッセージ８をまずは表示部１１のメイン領域９１に表示させる。
【００６２】
まず、図８、図９を用いて、メイン領域９１で電子付箋として表示されたメッセージ８をサブ領域９２に移動して表示させる場合を説明する。
【００６３】
図８、図９に示すように、タッチパネル部１２の出力に基づき、パネル制御部１０がメイン領域９１に表示されたメッセージ８をサブ領域９２に移動させて表示させる移動操作がなされたことを受け付けると、パネル制御部１０は移動操作がなされたメッセージ８をサブ領域９２で表示させる。そして、パネル制御部１０は移動操作がなされたメッセージ８をメイン領域９１では表示しない。又、図８は表示領域を移動させたメッセージ８を強調して表示する態様を示し、図９は表示領域を移動させたメッセージ８を強調せず通常表示する態様を示す。
【００６４】
尚、メッセージ８の重要度によっては、メイン領域９１からサブ領域９２にメッセージ８の表示領域を変更できない場合がある（詳細は後述）。
【００６５】
どのような操作を移動操作とするかは特に制限はないが、図８、図９に白抜矢印で示すように、本実施形態の操作パネル１では、ドラッグアンドドロップ操作が移動操作と受け付けられる。具体的に、表示領域を変更するメッセージ８（メイン領域９１に表示中のメッセージ８、言い換えると、メイン領域９１中の電子付箋）に対してタッチを行い、タッチパネル部１２をタッチしたまま、タッチ位置をサブ領域９２まで移動させ、その後、タッチパネル部１２から指を離す操作が移動操作として受け付けられる。
【００６６】
尚、サブ領域９２で表示するべきメッセージ８が複数ある場合、パネル制御部１０は一定間隔（例えば、数秒間隔）で表示するメッセージ８を順番に切り替える。
【００６７】
次に、図１０を用いて、サブ領域９２で表示していたメッセージ８（使用者がメッセージ作成画面７１で作成した任意のメッセージ８）をメイン領域９１で表示させる場合について説明する。
【００６８】
図１０に示すように、タッチパネル部１２の出力に基づき、パネル制御部１０がサブ領域９２に表示されたメッセージ８をメイン領域９１に移動させて表示させるための戻し操作がなされたことを受け付けると、パネル制御部１０は戻し操作がなされたメッセージ８をメイン領域９１に電子付箋の形態で表示させる。そして、パネル制御部１０は戻し操作がなされたメッセージ８をサブ領域９２では表示しない。
【００６９】
どのような操作を戻し操作とするかは特に制限はないが、移動操作と同様に（図９に白抜矢印参照）、ドラッグアンドドロップ操作が戻し操作と受け付けられる。具体的に、表示領域を変更するメッセージ８（サブ領域９２に表示中のメッセージ８、サブ領域９２）に対してタッチを行い、タッチパネル部１２をタッチしたまま、タッチ位置をメイン領域９１まで移動させ、その後、タッチパネル部１２から指を離す操作が戻し操作として受け付けられる。
【００７０】
そして、メモリー１５は各メッセージ８、メイン領域９１とサブ領域９２のいずれで表示するかを不揮発的に記憶する（揮発的でもよい）。メモリー１５は移動操作によりメイン領域９１からサブ領域９２に表示領域が移動されたメッセージ８については、そのメッセージ８は以後、サブ領域９２で表示すると記憶する。一方、メモリー１５は戻し操作によりサブ領域９２からメイン領域９１に表示領域が移動されたメッセージ８については、そのメッセージ８は以後、メイン領域９１で表示すると記憶する。尚、メッセージ８は最初にメイン領域９１に表示されるので、メモリー１５はデフォルトではメイン領域９１に表示する旨を記憶する。
【００７１】
（メッセージ８の編集）
操作パネル１は表示されたメッセージ８の内容の編集の操作、設定を受け付けてもよい。そこで、図４を用いて、使用者が作成したメッセージ８の編集について説明する。
【００７２】
表示位置に対する予め定められた時間内での複数回のタッチ（ダブルクリック的なタッチ）のような表示されたメッセージ８を編集するための特定の操作がなされると、パネル制御部１０は編集対象とされたメッセージ８に対応するメッセージ作成画面７１を表示部１１に表示させる。このとき、メッセージ表示欄Ｃ１には編集対象とされたメッセージ８がメッセージ表示欄Ｃ１に表示された状態でメッセージ作成画面７１が表示される。
【００７３】
使用者は編集の対象としたメッセージ８を修正することができる。編集するメッセージ８のメッセージ作成画面７１の作成キーＫ１の表示位置がタッチされると、パネル制御部１０はソフトウェアキーボード画面７２を表示部１１に表示させる。そして、パネル制御部１０は修正後の内容を反映したメッセージデータＤ１に更新させる。これにより、以後、パネル制御部１０は修正後のメッセージ８内容でメッセージ８を表示部１１に表示させる、
【００７４】
又、使用者は編集の対象としたメッセージ８を削除して以後表示されないようにすることができる。メッセージ８を削除するため、メッセージ作成画面７１の削除キーＫ４の表示位置がタッチされると、パネル制御部１０は削除指示がなされたメッセージ８に対応するメッセージデータＤ１をメモリー１５や記憶装置６２に消去（削除）させる。これにより、以後、所望のメッセージ８（電子付箋）を表示させないようにすることもできる。これにより、パネル制御部１０は削除されたメッセージ８を以後、表示部１１に表示させない。
【００７５】
尚、メッセージ作成画面７１では、作成されたメッセージ８（メッセージ８（電子付箋））を表示させる期間を設定できるようにしてもよい。使用者はテンキー部１４などを用いることにより、メッセージ作成画面７１に表示期間を設定する。そして、パネル制御部１０は表示期間のメッセージ８（電子付箋）を表示部１１に表示し、表示期間が過ぎたメッセージ８（電子付箋）のメッセージデータＤ１をメモリー１５や記憶装置６２に削除させる。
【００７６】
（重要度に基づくメッセージ８の表示制御）
次に、図１１、図１２を用いて本実施形態に係る操作パネル１でのメッセージ８の表示制御の流れを説明する。図１１はメッセージ８の表示形態（表示位置）の変更制御の流れの一例を示すフローチャートである。図１２は重要度データＤ２の一例を示す説明図である。
【００７７】
本実施形態の操作パネル１、複合機１００では、使用者が所望するメッセージ８を表示させることができる。そして、使用者は操作パネル１を操作して、電子付箋としてメイン領域９１に表示されたメッセージ８をサブ領域９２に表示させることができる。言い換えると、メッセージ８の表示位置を変えることにより、メッセージ８の表示形態を変更することができる。
【００７８】
ここで、サブ領域９２はメイン領域９１よりも狭い。又、メイン領域９１では電子付箋としてメッセージ８は表示され続けるが、サブ領域９２では、表示すべきメッセージ８が複数ある場合、周期的に（一定間隔で）メッセージ８が切り替えられる。
【００７９】
一方、メッセージ８の中には、重要なものもあり、メイン領域９１で常時表示させておくべきメッセージ８もある。そのようなメッセージ８は移動操作がなされたとしても、サブ領域９２で表示させず、メイン領域９１で表示させ続けるべきである。又、サブ領域９２でメッセージ８を表示するにしても、重要度が比較的高いメッセージ８は使用者の注意を惹く形態で表示させるべきである。
【００８０】
しかし、どのようなメッセージ８の重要度が大きく、どのようなメッセージ８は重要度が小さいかの判断は難しい。又、メッセージ８に対して逐一重要度を設定することは煩わしいと感じる使用者もいる。そこで、本実施形態の操作パネル１では、メッセージ８の重要度をメッセージ８の内容から自動的に判定し、判定した重要度に応じた形態でメッセージ８を表示させる。
【００８１】
そこで、以下、図１１、図１２を用いて、重要度に基づくメッセージ８の表示形態の制御（表示制御）の流れを説明する。
【００８２】
まず、図１１のスタートはパネル制御部１０がメッセージデータＤ１に基づき、メイン領域９１に電子付箋として１又は複数のメッセージ８を表示部１１に表示させている状態である。そして、表示部１１に表示中のいずれかのメッセージ８に対して移動操作がなされた時点である。
【００８３】
続いて、パネル制御部１０は移動操作がなされたメッセージ８（メイン領域９１からサブ領域９２への表示位置の変更操作がなされたメッセージ８）の重要度を判定するための重要度データＤ２を読み出す（ステップ♯１１）。重要度データＤ２はメモリー１５や記憶装置６２に記憶される。そして、パネル制御部１０は重要度データＤ２に基づき、移動操作がなされたメッセージ８の重要度を判定する。尚、以下の説明では重要度をパネル制御部１０が求める例を説明するが、主制御部６など他の演算を行う部分がメッセージ８の重要度を求め、判定してもよい。
【００８４】
ここで、図１２を用いて重要度データＤ２の一例を説明するとともに、メッセージ８の重要度の判定手法を説明する。
【００８５】
まず、図１２に示すように、重要度データＤ２はテーブル状のデータであり、複数の単語が定義（格納）される。そして、重要度データＤ２では、各単語に対して単語の重要度を示す値である重要度値が定められる。言い換えると、重要度データＤ２は単語と重要度値の組み合わせを複数種含むデータである。
【００８６】
図１２に示す重要度データＤ２では、重要度値は１０段階のいずれかの値である（１〜１０のいずれかの値）。尚、重要度値は９段階以下でもよいし、１１段階以上でもよい。又、どの単語を重要度データＤ２に含め、単語にどのような重要度値を割り振るかは任意に定めることができる。図１２では、実際に重要度データＤ２に含まれる単語のうち、一部の単語のみを示している。又、本実施形態に係る重要度データＤ２（図１２に示す重要度データＤ２）では、重要度が大きいと見なす単語ほど大きな重要度値が付されている。
【００８７】
メッセージ８の重要度を求める手法の一例を説明する。まず、本実施形態のパネル制御部１０は重要度データＤ２の各単語と、メッセージ８の内容（本文、文字列）を比較して、メッセージ８から重要度データＤ２に含まれる単語と同じ単語（一致する単語）を抽出する（ステップ♯１２）。例えば、図７などに示した「故障のため緊急の修理依頼中です。」というメッセージ８では、パネル制御部１０は重要度データＤ２内の単語と一致する単語として、「故障」、「緊急」、「修理」といった単語を抽出する。
【００８８】
次に、パネル制御部１０は抽出した単語と重要度データＤ２に基づき、メッセージ８の重要度を判定する（ステップ♯１３）。本実施形態では、パネル制御部１０は一致するとして抽出された各単語に対し、重要度データＤ２内で定義された重要度値の合計を求める。そして、パネル制御部１０は求めた合計の平均値をメッセージ８の重要度（を示す値）と判定する。尚、パネル制御部１０は抽出された各単語の重要度値の合計をメッセージ８の重要度と判定してもよい。又、パネル制御部１０は抽出された各単語のうち、最も大きい又は最も小さい重要度値をメッセージ８の重要度と判定してもよい。メッセージ８に含まれる単語の重要度値をどのように加工して、メッセージ８の重要度を示す値を求めるか（メッセージ８の重要度を判定するか）は適宜定めることができる。
【００８９】
そして、パネル制御部１０は判定したメッセージ８の重要度が予め定められた第１基準値よりも大きいか否かを確認する（ステップ♯１４）。第１基準値はメッセージ８の重要の度合いを判別するための値であり、メッセージ８をメイン領域９１で表示させ続けるかサブ領域９２に表示位置を移動させてもよいか判断するための閾値である。
【００９０】
もし、メッセージ８の重要度が第１基準値よりも大きければ（ステップ♯１４のＹｅｓ）、そのメッセージ８はかなり重要であり、サブ領域９２ではなくメイン領域９１で表示させ続けるべきメッセージ８である。そこで、第１基準値よりも大きければ（ステップ♯１４のＹｅｓ）、パネル制御部１０は、移動操作されたメッセージ８をサブ領域９２に移動させずメイン領域９１で表示部１１に表示させ続ける（ステップ♯１５）。そして、パネル制御部１０はメッセージ８をサブ領域９２に移動不可である旨を表示部１１に表示させる（ステップ♯１６→エンド）。
【００９１】
一方、メッセージ８の重要度が第１基準値以下であれば（ステップ♯１４のＮｏ）、そのメッセージ８はメイン領域９１に表示させ続けるほどではない。そこで、第１基準値以下であれば（ステップ♯１４のＮｏ）、メッセージ８のサブ領域９２の表示形態を定めるため、パネル制御部１０はメッセージ８の重要度が予め定められた第２基準値よりも大きいか否かを確認する（ステップ♯１７）。
【００９２】
第２基準値はメッセージ８をサブ領域９２で表示するうえで強調表示を行うか否かを判別するための値である。重要度の点において、第２基準値は第１基準値よりも重要度が小さい。
【００９３】
もし、メッセージ８の重要度が第２基準値よりも大きければ（ステップ♯１７のＹｅｓ）、サブ領域９２で表示させるメッセージ８のうち、そのメッセージ８は比較的重要であり強調表示を行って、使用者の注意を惹くように表示させるべきメッセージ８といえる。
【００９４】
そこで、第２基準値よりも大きければ（ステップ♯１７のＹｅｓ）、パネル制御部１０は強調表示を行いつつ、移動操作されたメッセージ８を表示部１１内のサブ領域９２に表示させる（ステップ♯１８→エンド）。
【００９５】
強調表示は通常のメッセージ８の表示形態（装飾のない単なるテキスト表示）とは異なる形態での表示である。強調表示の種類としては、白抜文字、太字による表示、通常と異なる色での表示、点滅表示、スクロール表示、強調を意味する語句、記号（例えば、「注意」や「！」）の語を付しての表示などがあり、特に制限はない。
【００９６】
一方、第２基準値以下であれば（ステップ♯１７のＮｏ）、サブ領域９２で表示させるメッセージ８のうち、そのメッセージ８の重要度は比較的小さいといえる。そこで、パネル制御部１０は重要度が第２基準値以下のメッセージ８を強調することなく通常の形態で表示部１１のサブ領域９２に表示させる（ステップ♯１９→エンド）。
【００９７】
以下、メッセージ８の重要度を単語の重要度値の平均値により定める場合のメッセージ８の表示例を図８、図９を用いて説明する。メッセージ８としては、図７などに例示した「故障のため緊急の修理依頼中です。」（以下、「第１メッセージ８１」と称する。）、「定期メンテナンスの予定：○月○日」（以下、「第２メッセージ８２」と称する。）、「原稿と用紙サイズと倍率を確認」（以下、「第３メッセージ８３」と称する。）の３つを例に挙げて説明する。又、重要度データＤ２には重要度データＤ２として図１２のものを用い、第１基準値は「２０／３」、第２基準値は「１０／３」であるとして説明する。
【００９８】
図１２の重要度データＤ２を用いてメッセージ８の重要度を求めたとき、第１メッセージ８１に含まれる単語の重要度値の平均値（第１メッセージ８１の重要度）は「９」（＝（１０＋８＋９）÷３）となる。又、第２メッセージ８２に含まれる単語の重要度値の平均値（第２メッセージ８２の重要度）は「５」（＝（４＋６）÷２）となる。又、第３メッセージ８３に含まれる単語の重要度値の平均値（第３メッセージ８３の重要度）は「２．５」（＝（２＋３）÷２）となる。
【００９９】
その結果、メイン領域９１で電子付箋として表示された第１〜第３の各メッセージ８１〜８３に対して移動操作がなされたとき、第１基準値として比較して、第１メッセージ８１はメイン領域９１に表示され続け、第２メッセージ８２はサブ領域９２で強調表示され（図７参照）、第３メッセージ８３はサブ領域９２で通常表示される。
【０１００】
（使用者による重要度データＤ２の設定）
次に、図１３を用いて、使用者による重要度データＤ２の設定を説明する。図１３は使用者による重要度データ設定画面７４の一例を示す説明図である。
【０１０１】
メイン領域９１に表示されたメッセージ８に対する移動操作がなされたとき、重要度データＤ２に基づき、パネル制御部１０はメッセージ８の重要度を自動的に判定する。そして、求めた重要度に基づき、メッセージ８の表示位置をサブ領域９２に移せるか否かが決まる。
【０１０２】
しかし、ある使用者にはデフォルトで定められた単語の重要度値が適切であっても、他の使用者にとっては適切とはいえない場合がある。重要度データＤ２に定められた単語やその重要度値が適切でなければ、サブ領域９２に表示位置（表示領域）を移したいメッセージ８の移動が拒否され、メイン領域９１に表示され続ける場合もあり得る。
【０１０３】
そこで、本実施形態の操作パネル１では、使用者が重要度データＤ２を設定できるようにする。重要度データ設定画面７４の開くための操作がなされると、パネル制御部１０は重要度データ設定画面７４を表示部１１に表示させる。操作パネル１は使用者による重要度データ設定画面７４でなされた入力を、重要度データＤ２に対し設定を行う入力として受け付ける。
【０１０４】
重要度データ設定画面７４には、重要度データＤ２の内容をリストとして表示するリスト表示領域Ｃ２が設けられる。リスト表示領域Ｃ２のうち、使用者は変更したい重要度値の表示位置をタッチし、テンキー部１４などを用いて、重要度値を所望の値に設定することができる。終了キーＫ５の表示位置がタッチされたとき、パネル制御部１０は変更後の重要度値となるようにメモリー１５や記憶装置６２に重要度データＤ２を更新させる。
【０１０５】
又、重要度データ設定画面７４には新単語キーＫ６が配される。新単語キーＫ６の表示装置がタッチされると、パネル制御部１０は図５に示したソフトウェアキーボード画面７２を表示部１１に表示させる。使用者が単語を入力し、終了キーＫ５の表示位置がタッチされたとき、パネル制御部１０はメモリー１５や記憶装置６２に重要度データＤ２を更新させ、重要度データＤ２に新単語を追加させる。その後、上記の操作により、使用者は重要度値を入力する。これにより、パネル制御部１０は新たに追加された単語の重要度値が入力された重要度値となるようにメモリー１５や記憶装置６２に重要度データＤ２を更新させる。
【０１０６】
又、重要度データ設定画面７４には削除キーＫ７が配される。いずれかの単語キーの表示位置をタッチして削除する単語を指定した後、削除キーＫ７の表示装置がタッチされると、パネル制御部１０はメモリー１５や記憶装置６２に重要度データＤ２を更新させ、指定された単語と指定された単語の重要度値を重要度データＤ２から削除させる。
【０１０７】
（重要度データＤ２の自動更新）
次に、図１４、図１５を用いて、重要度データＤ２の自動更新を説明する。図１４は自動更新の流れの一例を示すフローチャートである。図１５は重要度データＤ２の更新の一例を示す説明図である。
【０１０８】
メイン領域９１に表示されたメッセージ８に対する移動操作がなされたとき、重要度データＤ２に基づき、パネル制御部１０はメッセージ８の重要度を自動的に判定し、メッセージ８の表示位置をサブ領域９２に移せるか否かが決まる。しかし、重要度データＤ２は使用者にとって最適とは限らない。
【０１０９】
そこで、本実施形態の操作パネル１では、メッセージ８の移動操作や戻し操作に応じて、重要度データＤ２を更新し、学習により重要度データＤ２の最適化を図る。これにより、使用者の意図に合わせたメッセージ８の表示形態の変更が実現される。
【０１１０】
図１４を用いて、重要度データＤ２の自動更新の流れの一例を説明する。図１４のスタートは複合機１００や操作パネル１に電力が供給され、省電力モードなどではなく、表示部１１が表示を行っている状態である。
【０１１１】
まず、パネル制御部１０はタッチパネル部１２の出力に基づき、メッセージ８の移動操作がなされたか否かを確認する（ステップ♯２１）。もし、移動操作があったとき（ステップ♯２１のＹｅｓ）、パネル制御部１０は重要度データＤ２に含まれる単語のうち、移動操作がなされたメッセージ８に含まれる単語と同じ単語の重要度値が小さくなるように、重要度データＤ２の更新をメモリー１５や記憶装置６２に行わせる（ステップ♯２２）。ステップ♯２２の後、フローはステップ♯２１に戻る。
【０１１２】
一方、移動操作がないとき（ステップ♯２１のＮｏ）、パネル制御部１０はタッチパネル部１２の出力に基づき、メッセージ８の戻し操作がなされたか否かを確認する（ステップ♯２３）。もし、戻し操作があったとき（ステップ♯２３のＹｅｓ）、パネル制御部１０は重要度データＤ２に含まれる単語のうち、戻し操作がなされたメッセージ８に含まれる単語と同じ単語の重要度値が大きくなるように、重要度データＤ２の更新をメモリー１５や記憶装置６２に行わせる（ステップ♯２４）。
【０１１３】
例えば、「故障のため緊急の修理依頼中です。」というメッセージ８に対し移動操作がなされたとき、図１５に示すように、パネル制御部１０は重要度データＤ２中、「故障」、「緊急」、「修理」の単語の重要度値を１小さくする。又、例えば、「定期メンテナンスの予定：○月○日」というメッセージ８に対し戻し操作がなされたとき、図１５に示すように、パネル制御部１０は重要度データＤ２中、「定期」、「メンテナンス」の単語の重要度値を１大きくする。
【０１１４】
このようにして、本実施形態に係る表示装置（操作パネル１）は表示領域としてメイン領域９１と前記メイン領域９１よりも狭いサブ領域９２を含み、使用者により作成されたメッセージ８を表示する表示部１１と、メッセージ８を作成するための入力を受け付けるとともに、メイン領域９１に表示されたメッセージ８をサブ領域９２に移動させて表示させるための使用者による移動操作を受け付ける操作部（タッチパネル部１２やテンキー部１４など）と、設定、作成されたメッセージ８のデータ、及び、メッセージ８の重要度を判断するための重要度データＤ２を記憶する記憶部（メモリー１５や記憶装置６２）と、重要度データＤ２に基づき、移動操作がなされたメッセージ８の重要度を判定する判定部（パネル制御部１０）と、を含み、表示部１１は重要度が予め定められた第１基準値よりも小さいとき、移動操作されたメッセージ８をサブ領域９２で表示し、第１基準値よりも大きいとき、移動操作されたメッセージ８をサブ領域９２に移動させずメイン領域９１で表示し続ける。
【０１１５】
これにより、使用者が入力した任意のメッセージ８のうち、大きな重要度のメッセージ８は移動操作があってもメイン領域９１で表示され続けるので、重要度の大きなメッセージ８を使用者に認識されやすい状態で表示させ続けることができる。従って、重要なメッセージ８の見落としを防ぐことができる。又、使用者が入力した任意のメッセージ８のうち、重要度が比較的小さいメッセージ８をサブ領域９２で表示させることで、表示部１１のメイン領域９１中、メッセージ８が占める割合を少なくすることができ、表示領域を有効活用することができる。更に、メッセージ８の重要度をメッセージ８の入力者が予め設定しておく必要はなく、各メッセージ８の重要度は自動的に判断される。従って、重要度に応じて的確にメッセージ８の表示形態を変更することができ、表示装置（操作パネル１）を見やすく、使いやすいものとすることができる。
【０１１６】
又、表示部１１はサブ領域９２で表示するメッセージ８の重要度が予め定められた第２基準値よりも大きいとき、強調表示を行ってメッセージ８をサブ領域９２に表示し、サブ領域９２で表示するメッセージ８の重要度が予め定められた第２基準値よりも小さいとき、強調表示を行わずにメッセージ８をサブ領域９２に表示する。これにより、サブ領域９２で表示するメッセージ８のうち、重要度が大きいメッセージ８については強調表示がなされるので、使用者の目にとまりやすくし、見落としを防ぐ。従って、重要度の大きなものほど、使用者に認識されやすい形態で表示することができ、重要度に応じて的確にメッセージ８の表示形態を変更することができる。
【０１１７】
又、操作部（タッチパネル部１２やテンキー部１４など）はサブ領域９２に表示されたメッセージ８をメイン領域９１に戻すための戻し操作を受け付け、表示部１１は戻し操作がなされたメッセージ８のサブ領域９２での表示を止めて、メイン領域９１で表示する。これにより、使用者の意図にあわせてメッセージ８が表示される領域（位置）を切り替えることができる。従って、使用者の所望の形態で所望のメッセージ８を表示させることができる。
【０１１８】
又、重要度データＤ２は単語と単語の重要度を示す値である重要度値の組み合わせを複数含み、判定部（パネル制御部１０）はメッセージ８に含まれる単語と、重要度データＤ２中に含まれる単語と重要度値に基づき、メッセージ８の重要度を判定し、記憶部（メモリー１５や記憶装置６２）は重要度データＤ２に含まれる単語のうち、移動操作がなされたメッセージ８に含まれる単語と同じ単語の重要度値が小さくなるように、重要度データＤ２の更新を行う。これにより、使用者があまり重要でなく、サブ領域９２に移動させ、小さく表示させると判断したメッセージ８に含まれる単語については、重要度値が小さくされる。従って、以後、移動操作がなされたメッセージ８と同一、類似の内容のメッセージ８はサブ領域９２に移動されやすくなる。このように、使用者の操作の結果を記憶、学習することで、使用者の意思に沿うようにメッセージ８の表示形態を変えやすくすることができる。
【０１１９】
又、記憶部（メモリー１５や記憶装置６２）は重要度データＤ２に含まれる単語のうち、戻し操作がなされたメッセージ８に含まれる単語と同じ単語の重要度値が大きくなるように、重要度データＤ２の更新を行う。これにより、使用者が重要であり、メイン領域９１で大きく表示させると判断したメッセージ８に含まれる単語については、重要度値が大きくされる。従って、以後、戻し操作がなされたメッセージ８と同一、類似の内容のメッセージ８はサブ領域９２に移動しにくくなる。このように、使用者の操作の結果を記憶、学習することで、重要度の高いメッセージ８はメイン領域９１で使用者の目にとまるように、メッセージ８の表示形態を変えないようにすることもできる。
【０１２０】
又、操作部（タッチパネル部１２やテンキー部１４など）は使用者による重要度データＤ２を設定する入力を受け付け、記憶部（メモリー１５や記憶装置６２）は操作部（タッチパネル部１２やテンキー部１４など）になされた設定に応じ、重要度データＤ２を更新する。これにより、使用者は単語を新たに重要度データＤ２に含めることや、重要度データＤ２に含まれる各単語の重要度値を変更することができる。これにより、使用者の意図に基づいてメッセージ８の表示形態を変更することができる。
【０１２１】
又、  表示部１１はメッセージ８を初めて表示するとき、メッセージ８をメイン領域９１に表示する。
これにより、メッセージ８が初めて表示部１１に表示されるとき、必ずメイン領域９１で表示されることになる。最初はメイン領域９１に表示されるので、どのようなメッセージ８でも最初は使用者に視認されやすい状態で表示させることができる。
【０１２２】
又、画像形成装置（複合機１００）は、上述の表示装置（操作パネル１）を含む。これにより、メッセージ８の重要度は自動的に判断され、メッセージ８の重要度をメッセージ８の入力者が設定せずに済み、使いやすい画像形成装置を提供することができる。又、重要度に応じ的確にメッセージ８の表示形態を変更できる表示装置を含むので、見やすく、重要なメッセージ８を見落とすことがない画像形成装置を提供することができる。
【０１２３】
本発明の実施形態を説明したが、本発明の範囲はこれに限定されるものではなく、発明の主旨を逸脱しない範囲で種々の変更を加えて実施することができる。
【産業上の利用可能性】
【０１２４】
本発明は、操作パネル等の表示部とタッチパネル部を有する表示装置や、画像形成装置に利用可能である。
【符号の説明】
【０１２５】
１００  複合機（画像形成装置）          １      操作パネル（表示装置）
１０    パネル制御部（判定部）          １１    表示部
１２    タッチパネル部（操作部）        １４    テンキー部（操作部）
１５    メモリー（記憶部）              ６２    記憶装置（記憶部）
８      メッセージ                      ８１    第１メッセージ
８２    第２メッセージ                  ８３    第３メッセージ
９１    メイン領域                      ９２    サブ領域
Ｄ２    重要度データ
【図１】
2014102563.tif 000003
【図２】
2014102563.tif 000004
【図３】
2014102563.tif 000005
【図４】
2014102563.tif 000006
【図５】
2014102563.tif 000007
【図６】
2014102563.tif 000008
【図７】
2014102563.tif 000009
【図８】
2014102563.tif 000010
【図９】
2014102563.tif 000011
【図１０】
2014102563.tif 000012
【図１１】
2014102563.tif 000013
【図１２】
2014102563.tif 000014
【図１３】
2014102563.tif 000015
【図１４】
2014102563.tif 000016
【図１５】
2014102563.tif 000017